(57)【特許請求の範囲】
【請求項１】
利用者の撮影記録した画像データと位置データをネットワークを通してサーバで登録管理し、ネットワークを通して任意の利用者の端末装置で閲覧再生に供するデータ再生方法であって、
端末装置は、
検索条件を指定して、該検索条件を満たす画像データのサムネイルと位置データと地図データをサーバからダウンロードし、
該ダウンロードされた位置データと地図データをもとに電子地図上に画像データの撮影位置を示すマーカ情報を表示するとともに、該電子地図とは異なる場所に、前記マーカ情報と対の画像データのサムネイルを時系列に一括表示し、
データの検索結果に、異なる登録者による複数の位置データが含まれている場合、一人の登録者の位置データについてはすべての位置データを表示し、他の位置データについては間引いて、当該位置データのみを表示する、
ことを特徴とするデータ再生方法。
【請求項２】
利用者の撮影記録した画像データと位置データをネットワークを通してサーバで登録管理し、ネットワークを通して任意の利用者の端末装置で閲覧再生に供するデータ再生方法であって、
端末装置は、
検索条件を指定して、該検索条件を満たす画像データのサムネイルと位置データと地図データをサーバからダウンロードし、
該ダウンロードされた位置データと地図データをもとに電子地図上に画像データの撮影位置を示すマーカ情報を表示するとともに、前記マーカ情報と対の画像データのサムネイルを表示し、
データの検索結果に、異なる登録者による複数の位置データが含まれている場合、一人の登録者の位置データについてはすべての位置データを表示し、他の位置データについては間引いて、当該位置データのみを表示する、
ことを特徴とするデータ再生方法。
【請求項３】
サーバで登録管理されている利用者の撮影記録した画像データと位置データを、ネットワークを通して任意の利用者の閲覧再生に供するデータ再生装置であって、
検索条件を指定して、該検索条件を満たす画像データのサムネイルと位置データと地図データをサーバからダウンロードする手段と、
前記ダウンロードされた位置データと地図データをもとに電子地図上に画像データの撮影位置を示すマーカ情報を表示するとともに、該電子地図とは異なる場所に、前記マーカ情報と対の画像データのサムネイルを時系列に一括表示する手段と、
データの検索結果に、異なる登録者による複数の位置データが含まれている場合、一人の登録者の位置データについてはすべての位置データを表示し、他の位置データについては間引いて、当該位置データのみを表示する手段と、
を具備することを特徴とするデータ再生装置。
【請求項４】
サーバで登録管理されている利用者の撮影記録した画像データと位置データを、ネットワークを通して任意の利用者の閲覧再生に供するデータ再生装置であって、
検索条件を指定して、該検索条件を満たす画像データのサムネイルと位置データと地図データをサーバからダウンロードする手段と、
該ダウンロードされた位置データと地図データをもとに電子地図上に画像データの撮影位置を示すマーカ情報を表示するとともに、前記マーカ情報と対の画像データのサムネイルを表示する手段と、
データの検索結果に、異なる登録者による複数の位置データが含まれている場合、一人の登録者の位置データについてはすべての位置データを表示し、他の位置データについては間引いて、当該位置データのみを表示する手段と、
を具備することを特徴とするデータ再生装置。
【請求項５】
請求項１または２に記載のデータ再生方法をコンピュータに実行させるためのプログラム。
【請求項６】
請求項１または２に記載のデータ再生方法をコンピュータに実行させるためのプログラムを記録したコンピュータ読み取り可能な記録媒体。
【発明の詳細な説明】
【０００１】
【発明の属する技術分野】
本発明は、インターネット等のコンピュータネットワークシステムを用いて旅行等の活動記録を簡単にネットワーク上で共有する技術分野に関わり、特に、カメラ等により撮影記録された画像データ群とＧＰＳなどの位置特定装置により連続的に記録された位置データなどの活動記録をネットワーク上で管理登録し、それらのデータをネットワーク経由で再生する方法や装置などに関する。
【０００２】
【従来の技術】
従来より、デジタル写真サービスの一形態として、ユーザのデジタル画像をサービス提供者のシステムに登録しておき、インターネットなどのネットワークを介して、他のユーザが、登録された画像を閲覧するというデジタルアルバムサービスが知られている。
【０００３】
また、パソコンなどのコンピュータを利用して、スタンドアロン形式で自分の行動記録を整理する方法、すなわち、位置データと画像データとを対にして同一画面上に再生する個人用のアルバムシステムも知られている。この方法は、電子地図上に行動の軌跡を表示し、その軌跡と画像データをリンクすることで、自分の行動を記録するものである。
【０００４】
【発明が解決しようとする課題】
従来のデジタルアルバムサービスでは、一枚一枚の画像に対してサービスが行われるものであり、旅行等における一日の行動記録、すなわち時系列に並べられた複数の画像データを登録して閲覧することはできなかった。さらに一日の足跡を表す位置データとともに画像データを閲覧することもできず、どのようなルートで行動し、どのような体験をしたのかを他の人と共有できないという問題もあった。
【０００５】
また、従来の個人用のアルバムシステムでは、行動記録をサービス提供者のシステムに登録し、インターネットなどのネットワークを介して、他のユーザの行動記録を閲覧することができなかった。そのため、他の人がどのようなルートで動き、どのような体験をしたのかを多人数で共有することはできなかった。また、ネットワークで共有する上で、どのデータを誰に公開するのかという問題も新たにでてくる。自分だけでとどめておきたいプライベートなデータもあれば、あるグループだけで共有したいデータもあれば、全員に公開したいデータもある。
【０００６】
本発明は、上述した従来技術の問題を解決するためになされたもので、その目的とするところは、行動時に記録した画像データと位置データに基づいて、いつ、どこで、何をしたのかの行動記録を簡単に整理しまとめるとともに、それらのデータをサービス提供者等のサーバに登録しておき、この登録されたデータをネットワークを介して他の利用者等が再生する方法や装置を提供することにある。
【０００７】
【課題を解決するための手段】
本発明は、複数の端末とサーバがネットワークを通して接続されたシステムにおいて、サーバは、あらかじめ端末から送信される画像データと位置データのデータ生成時刻等をもとに双方のデータを関連づけてデータベースに登録しておき、端末は、検索条件を指定して、該検索条件を満たす画像データのサムネイルと位置データと地図データをサーバからダウンロードし、このダウンロードされた位置データと地図データをもとに電子地図上に画像データの撮影位置を示すマーカ情報を表示するとともに、該電子地図とは異なる場所に、前記マーカ情報と対の画像データのサムネイルを時系列に一括表示し、データの検索結果に、異なる登録者による複数の位置データが含まれている場合、一人の登録者の位置データについてはすべての位置データを表示し、他の位置データについては間引いて、当該位置データのみを表示することを主要な特徴とする。
【０００８】
一実施形態では、登録者が、カメラにより記録された複数の画像データとＧＰＳなどの位置特定装置により連続的に記録された位置データとを、パソコンやモバイル端末などを利用し、ネットワークを介して、サービス提供者等が管理する情報センタのサーバに送信する。サーバは、送信された画像データと位置データのデータ生成時刻をもとに双方のデータの関連づけをし、データベースに登録する。登録者は、端末によりネットワークを介して、サーバのデータベースに登録された画像データと位置データを閲覧して、他の利用者に公開を許可する画像とその公開範囲を選択し、さらには画像に対するタイトルやコメントを記入し、また予め設定された検索項目となるテーマを選択し、これら詳細データをサーバに送信し、サーバは、この送信された詳細データを、登録されている画像データと関連づけて登録する。管理者が、ネットワーク上に公開する画像を許可し、また詳細データ内容の校正を行うことも可能である。
【０００９】
利用者は、パソコンやモバイル端末を利用し、日付や画像グループなどの検索条件を指定して、条件を満たす複数の画像のサムネイル（画像の縮小データ）と、位置データと、地図データと、画面表示プログラムとを情報センタのサーバからダウンロードする。パソコンやモバイル端末では、ダウンロードされたデータをもとに、電子地図上に位置データを表示するために、電子地図の適切な位置と大きさを計算して、画面上に地図表示し、画像データのサムネイル一覧と、電子地図上に表示された画像データの撮影位置を示すマーカー情報とを対として同一画面上に表示する。また、一覧表示された画像のサムネイルの中から所望の画像が選択されると、詳細データ（コメントや登録者などの記録データ）を表示する。
【００１０】
【発明の実施の形態】
以下、本発明の一実施の形態について図面を参照して説明する。
図１は、本発明の実施形態の一例を示すシステム全体の構成図である。図１において、サービス提供者が管理するサーバ１０は、経路制御装置、電話回線などの通信網を経由してインターネット５０に接続されている。利用者の端末１１１，１１２，・・・や端末１２１，１２２，・・・についても、サーバ１０と同様にしてインターネット５０に接続されている。また、１１０は端末１１１，１１２・・・と同様の端末であるが、グループ＃１の管理者用の端末とする。他のグループ＃２の端末１２０の場合も同様である。ここで、端末はパソコンなどで、それぞれＣＲＴやＬＣＤ等の表示部とともに、キーボード、マウス等の入力部を有するものである。また、端末はモバイル端末で、位置データ取得部、画像データ取得部、通信部を有し、直接サーバ１０に位置データと画像データを送信するものでもよい。また、図１では、利用者の端末をグループ分けして示したが、端末は必ずしもグループ分けされる必要はない。
【００１１】
図２は、サーバ１０の詳細構成を示す図である。図２において、制御部１１はＣＰＵ等から構成され、メインプログラム１４にもとづき、各部の制御や、データの転送、種々の演算などを行うものである。入力制御部１２は、インターネット５０を介して接続された各端末からサーバ１０に入力されるデータを制御するものである。出力制御部１３は、サーバ１０からインターネット５０を介して、各端末に出力されるデータを制御するものである。データベースとしては、地図データベース１５、利用者データベース１６及び管理者データベース１７が存在する。なお、メインプログラム１４やデータベース１５〜１７は、実際には、ハードディスクやその他の記憶装置に格納されて用いられる。
【００１２】
メインプログラム１４は、制御プログラムに加え、例えば、位置データと画像データをそれぞれのデータ生成時刻をもとにリンク付けを行うプログラムや、各端末の表示部に位置データと画像データとを対にして同一画面に表示させるプログラムや、各端末から入力される検索条件から必要なデータを得るための検索用プログラム等から構成される。これらのプログラムは、フロッピーディスクやＣＤ−ＲＯＭ等、コンピュータで読み取り可能な記録媒体にあらかじめ記録されて提供することも可能である。
【００１３】
地図データベース１５は地図データを格納するが、この地図データは、縮尺別に数段階用意された画像ファイルであり、縮尺や中心位置の緯度経度、また画像の大きさを指定することで、所望の地図画像が得られるようになっている。なお、地図データベース１５は、通信網を介して別のサーバ上に存在することでもよい。
【００１４】
利用者用データベース１６には、利用者が実際にカメラなどにより記録した画像データや位置データなどを格納するための画像データテーブル１６１や位置データテーブル１６２、記録データテーブル１６３などが含まれている。それぞれのデータテーブルの構成を図３に示す。画像データテーブル１６１は、登録される画像データについての情報、具体的には画像データＩＤ、ファイル名、サムネイルファイル名、撮影日時、位置データＩＤ、登録者ＩＤ、画像の公開範囲などの情報から構成される。位置データテーブル１６２は、登録される位置データについての情報、具体的には位置データＩＤ、取得日時、緯度、経度、登録者ＩＤなどの情報から構成される。記録データテーブル１６３は、登録される画像データについての付加情報、具体的には記録データＩＤ、画像のタイトル、コメント、登録者ＩＤ、テーマＩＤなどから構成される。
【００１５】
管理者用データベース１７には、利用者データテーブル１７１やテーマテーブル１７２などが含まれている。それぞれのデータテーブルの構成を図４に示す。利用者データテーブル１７１は、サービスを使用可能な利用者についての情報、具体的にはグループＩＤ、グループ名、管理者ＩＤ、管理者パスワード、利用者ＩＤ、利用者パスワード、ペンネームなどから構成される。テーマテーブル１７２は、画像の分類を表すテーマについての情報、具体的にはテーマＩＤ、テーマ名などから構成される。テーマ名は後に画像を検索する際の検索条件になる。
【００１６】
次に、本実施形態の動作について説明する。各端末は、いずれも画像データの登録端末、また画像データの再生端末としても機能するが、ここでは、説明の便宜上、図１のサーバ１０には端末１１１が接続されたとして以下の説明を行う。
【００１７】
サーバ１０に端末１１１が接続されると、サーバ１０の制御部１１は、端末１１１からの接続（アクセス）を入力制御部１２を介して検知し、メインプログラム１４にしたがって端末１１１を制御する。動作は画像データの登録動作と再生動作に大別される。以下、これらの動作について具体的に説明する。
【００１８】
図５は、サーバと端末間の画像データの登録動作を示すフローチャートである。なお、以下の説明では、サーバ１０の制御部１１、入出力制御部１２、出力制御部１３の動作は、まとめてサーバ１０で総称することにする。
まず、ステップＳａ１において、サーバ１０が、端末１１１の表示部に対し、利用者ＩＤとパスワードの入力を促す画面を表示することで、利用者は端末１１１からＩＤとパスワードを入力し、サーバ１０に送信する。サーバ１０では、ステップＳｂ１において、管理者データベース１７の利用者データベース１７１を検索し、登録されている利用者ＩＤ、利用者パスワードと入力されたＩＤとパスワードをチェックする。入力されたＩＤとパスワードが正しければ、次のいずれかのステップに進む。画像データと位置データを新規に登録する場合にはステップＳａ２に、すでに登録されている場合にはステップＳａ３に進む。
【００１９】
ステップＳａ２では、利用者が端末１１１から、登録する画像データファイルと位置データファイルを選択し、サーバ１０に送信する。ここで、端末１１１は、あらかじめデジタルカメラなどからの画像データを、またＧＰＳなどの位置特定装置から位置データを、内部の記憶手段に取り込んでいるものとする。
【００２０】
ステップＳｂ２において、サーバ１０が端末１１１からの画像データと位置データを受信し、利用者用データベース１６に登録する。このとき、サーバ１０では、送信された画像データと位置データのデータ生成時刻を比較し、画像データと位置データのリンク計算を行う。このリンク計算を行うことにより、どの画像データがどこで撮影されたかの情報、即ち画像データの撮影地点の緯度と経度が計算される。具体的には、ステップＳｂ３において、画像データは画像データテーブル１６１に、位置データは位置データテーブル１６２に展開される。サーバ１０（制御部１１）は、ステップＳｂ４において、画像データテーブル１６１の撮影日時と位置データテーブル１６２の位置データ取得日時を比較し、画像データがどの位置で撮影されたかを特定し、画像データテーブル１６１の位置データＩＤを決定し、画像データテーブル１６１を更新する。また、画像データがサーバ１０に送信された段階では、画像データテーブル１６１の公開範囲は、すべて外部に非公開にするという設定が自動的にされる。この設定がされることにより、他の利用者が検索し画像を閲覧することができないため、登録された画像がすぐに外部に公開され、利用者のプライバシーが侵害されるということがなくなる。
【００２１】
ステップＳａ３以降では、利用者（登録者）が、すでにサーバ１０の利用者データベース１６に登録されている画像データを閲覧し、画像に対するタイトルやコメントなどの記録データを作成し、また、データの公開範囲を選択する作業等を行う。
【００２２】
まず、ステップＳａ３において、利用者は、端末１１１から行動記録を行った日付、すなわち画像データと位置データを記録した日付を入力して、サーバ１０に送信する。
【００２３】
サーバ１０では、端末１１１から送信されたデータから、ステップＳｂ５において、利用者用データベース１６から該当するデータを検索する。次に、ステップＳｂ６において、端末１１１の表示部に表示するための地図画像の中心位置と縮尺を計算する。このとき地図画像は、地図データベース１５から、位置データがすべて表示されるような画像が選ばれる。ステップＳｂ７において、位置データ、画像のサムネイル（縮小画像データ）、地図データ、及び、該データを表示するためのプログラムが端末１１１に送信される。
【００２４】
端末１１１は、データを受信し、位置データと画像のサムネイルを表示部に表示する。このときの表示例を図６に示す。これらの表示は、サーバ１０から送信されたプログラムにもとづき、周知のブラウザ機能により表示される。
【００２５】
まず、ステップＳａ４において、図６のＡ１の全体データ表示画面で、位置データと画像のサムネイルを表示し、データ全体を閲覧できるようにする。具体的には、位置データは、Ａ２の位置データ表示部により、ステップＳｂ６で計算された地図画像の上にプロットされ、また画像の撮影位置を表すポイント情報（マーカ情報）も表示される。画像のサムネイルは、Ａ３のサムネイル表示部により、時系列に表示される。画像のサムネイルはマウスなどの入力手段により、自由に選択することができるようになっており、選択した画像がどこで撮影されたかも地図上のポイント情報で把握できるようになっている。
【００２６】
次に、ステップＳａ５において詳細データの作成を行う。利用者（登録者）が、Ａ１の全体データ表示画面で選択した画像に対して、Ａ４の詳細データ作成ボタンを押すと、図６のＢ１の詳細データ作成画面が表示される。画像データが拡大表示され、その下に撮影日時や撮影者のペンネームなどが表示される。Ｂ２のテーマ選択部で、例えば、プルダウンで画像のテーマを選択する。テーマは、例えば管理者があらかじめ設定するもので、管理者データベース１７のテーマテーブル１７２の項目の中から選択される。Ｂ３のコメント入力部で画像についてのコメントを入力する。コメントなどのデータは、利用者用データベース１６の記録データテーブル１６３に反映される。次にステップＳａ６において、Ｂ４の公開範囲選択部で画像の公開範囲を指定する。公開範囲は、管理者データベース１７の利用者データテーブル１７１から選択される。公開範囲を指定することで、非公開にするプライベートな画像、ある特定のグループだけに公開する画像、あるいは利用者すべてに公開する画像を、登録者が自由に選択できる。ステップＳａ７において、利用者（登録者）がＢ５の更新ボタンを押すことで、端末１１１からＢ１の詳細データ作成画面で入力された内容が、サーバ１０において利用者用データベース１６に更新される。詳細データの作成は、画像データの数だけ繰り返し行うことができる。
【００２７】
なお、端末グループに管理者がいる場合、例えば、図１のグループ＃１の管理者は端末１１０から、端末１１１、１１２、・・・から入力されたグループ＃１内のすべてのデータについて、ネットワーク上に公開する画像を許可し、また、詳細データ内容の校正を行うことができる。管理者に、グループ内すべてのデータの公開範囲を設定できる特権を与えることで、利用者が他人を誹謗中傷するコメントを書いた場合などにおいて、そのデータを非公開にし、グループ内のプライバシーを保護することができる。この場合、ステップＳｃ１〜Ｓｃ６のように、管理者も他の利用者と同様の手順を踏んで、データのチェック、修正等を行う。また、管理者が必ずチェックしてからでないと外部にはデータが公開されないようにすることも可能である。
【００２８】
図７は、画像データの再生動作を示すフローチャートである。図７により、画像データ登録により公開されたデータを、通信網を介して検索閲覧する流れを説明する。
【００２９】
ステップＳｄ１において、サーバ１０は、端末１１１の表示部に対し、利用者ＩＤとパスワードの入力を促す画面を表示し、利用者は端末からＩＤとパスワードを入力し、サーバ１０に送信する。サーバ１０では、ステップＳｅ１において、管理者データベース１７の利用者データテーブル１７１を検索し、ＩＤとパスワードをチェックする。入力されたＩＤとパスワードが正しければ、サーバ１０は、次に端末１１１の表示部に対し、検索条件指定画面を表示し、検索閲覧に制御を移す。
【００３０】
Ｓｄ２において、端末１１１の利用者は検索条件の指定を行う。検索項目としては、例えば画像データの撮影日付や、登録者のペンネーム、テーマ名などがある。これらの検索項目を指定し、検索することで、利用者は所望のデータが得られるようになっている。例えば修学旅行の場合には、管理者がテーマ名として、環境、食文化、風俗などの項目を指定することで、学習効果をより高めることができる。指定された検索条件のデータは、端末１１１からサーバ１０に送信される。
【００３１】
サーバ１０では、送信された検索条件から、ステップＳｅ２において、利用者用データベース１６から該当するデータを検索し、また、地図データベース１５から該当する地図データを検索する。次に、ステップＳｅ３において、端末１１１の表示部に表示するための地図画像の中心位置と縮尺が計算する。データの検索結果に異なる登録者による複数の位置データが含まれている場合、地図画像は着目する登録者（一人以上も可）のすべての位置データが表示されるように電子地図の中心位置と縮尺を決定される。次に、ステップＳｅ４において、位置データ、画像のサムネイル、地図データ、及び、該データを表示するためのプログラムが端末１１１に送信される。なお、データの検索結果に異なる登録者による複数の位置データが含まれている場合、一人の着目する登録者の位置データについてはすべての位置データをダウンロードして表示し、他の位置データについては表示負荷を軽減するため、何点かおきに間引いて表示することとし、その表示する位置データのみを端末１１１に送信することもできる。
【００３２】
端末１１１は、データを受信し、位置データと画像のサムネイルを表示部に表示する。なお、表示されるデータは、利用者用データベース１６の画像データテーブル１６１における公開範囲を利用者が満たしているデータだけである。
【００３３】
図８及び図９に表示例を示す。図８は一人の登録者のデータに着目して表示する場合であり、図９は複数の登録者のデータを同期して表示する場合の例である。図８と図９は、サーバ１０からダウンロードされる表示プログラムによって異なる。これらの表示は、端末１１１が具備する周知のブラウザ機能により表示される。
【００３４】
まず、図８の一人のデータに着目する場合について説明する。位置データと画像のサムネイルは、ステップＳｄ３において、図８のＣ１の全体データ表示画面で、位置データと画像のサムネイルを表示し、データ全体を閲覧できるようにする。具体的には、位置データは、Ｃ２の位置データ表示部により、ステップＳｅ３で計算された地図画像の上にプロットされ、また、画像の撮影位置を表すポイント情報も表示される。画像のサムネイルは、Ｃ３のサムネイル表示部により、時系列に表示される。画像のサムネイルはマウスなどの入力手段により、自由に選択することができるようになっており、選択した画像がどこで撮影したかも地図上のポイント情報で把握できるようになっている。
【００３５】
次に、図９の複数のデータを同期して表示する場合について説明する。複数の登録者の位置データと画像のサムネイルは、ステップＳｄ３において、図９のＥ１の全体データ表示画面で表示し、データ全体を閲覧できるようにする。複数の登録者の位置データは、Ｅ２の位置データ表示部により、ステップＳｅ３で計算された地図画像の上にプロットされ、また画像の撮影位置を表すポイント情報もそれぞれ表示される。画像のサムネイルは、着目した登録者分だけ並列に表示され、それぞれはＥ３のサムネイル表示部により、時系列に表示される。画像のサムネイルはマウスなどの入力手段により、自由に選択することができるようになっており、選択した画像がどこで撮影したかも地図上のポイント情報で把握できるようになっている。さらに一人の画像のサムネイルを選択すると、その撮影時刻の情報に従って、他の画像のサムネイルも連動するようになっており、同一時刻に誰が、どこで、何をしていたのかを簡単に把握することができる。
【００３６】
次に、ステップＳｄ４において、利用者は詳細データの要求を行う。具体的には、図８や図９のＣ１あるいはＥ１の全体データ表示画面で選択した画像に対して、Ｃ４あるいはＥ４の表示データ作成ボタンを押すと、どの画像の詳細データが欲しいのかの情報が、端末１１１からサーバ１０に送信される。サーバ１０では、ステップＳｅ５において、利用者用データベース１６から適切なデータを検索し、端末１１１に送り返す。ステップＳｄ５において、端末１１１の表示部に、Ｄ１あるいはＦ１の詳細データ表示画面として表示される。画像データは拡大表示され、その下に撮影日時や撮影者のペンネーム、コメントなどが表示される。
【００３７】
【発明の効果】
以上説明したように、本発明によれば、次のような効果が得られる。
（１）コンピュータネットワークシステムを用いて、旅行などの所定期間の行動を整理して記憶できるとともに、そのデータを情報センタのサーバに登録し、ネットワーク上で公開することにより、その記録を複数の人で共有することができる。
【００３８】
（２）行動を記録する場合に、位置データと画像データとを記録し、後から双方のデータの生成時刻をもとに、対にして画面上に表示することにより、いつ、どこで、何をしたのかを分かりやすく記録できる。ネットワーク上でデータを再生することにより、他の利用者が実際に体験をしていなくても、電子地図上に足跡が表示され、足跡と連動して画像が提示されることで、分かりやすく体験を追体験できる。また画像データに、タイトルやコメントなどを入力できるようにし、他の利用者が後から参照できるようにすれば、体験者がそのとき何を感じたのかも知ることができる。
【００３９】
（３）例えば修学旅行の体験を共有する場合に有効である。班別に別々に行動をした場合、それぞれの班が行動を記録し、そのデータをネットワーク上で公開することにより、他の班がどのような体験をしたのかを後から追体験することができ、修学旅行における学習を深めることができる。また学校間でも修学旅行の体験を共有し、ディスカッションすることができる。他にも人の行動記録を参考にして、自分の旅程を決めるという使い方もできる。
【図面の簡単な説明】
【図１】  本発明における実施形態の一例を示すシステム構成図である。
【図２】  図１のサーバの詳細構成図である。
【図３】  図１の利用者用データベースの構成例を示す図である。
【図４】  図１の管理者用データベースの構成例を示す図である。
【図５】  画像データ登録動作を説明するためのフローチャートである。
【図６】  詳細データ作成画面の一例を示す図である。
【図７】  画像データ再生動作を説明するためのフローチャートである。
【図８】  画像データ再生画面の一例を示す図である。
【図９】  画像データ再生画面の他の一例を示す図である。
【符号の説明】
１０    サーバ
１１    制御部
１２    入力制御部
１３    出力制御部
１４    メインプログラム
１５    地図データベース
１６    利用者用データベース
１６１    画像データテーブル
１６２  位置データテーブル
１６３  記録データテーブル
１７    管理者データベース
１７１  利用者データテーブル
１７２  テーマデータテーブル
５０  インターネット
１１０、１１１、１１２  端末
１２０、１２１、１２２  端末
【図１】
0003824137.tif 000002
【図２】
0003824137.tif 000003
【図３】
0003824137.tif 000004
【図４】
0003824137.tif 000005
【図５】
0003824137.tif 000006
【図６】
0003824137.tif 000007
【図７】
0003824137.tif 000008
【図８】
0003824137.tif 000009
【図９】
0003824137.tif 000010